(57)【特許請求の範囲】
【請求項１】
パネルを固定部材に着脱可能に固定するパネル固定機構であって、
前記パネルを固定するための頭部とオスネジ部を有するネジ部材と、
前記ネジ部材よりも前記固定部材側に接合され、内部に空間を有し、前記ネジ部材側の端部の閉止板部に前記オスネジ部とネジ締結するメスネジ部が形成されたキャップ部材と、
前記空間内に収納され、前記キャップ部材の軸線方向に伸縮する弾性部材と、
前記弾性部材の前記ネジ部材側の端部に設けられ、前記ネジ部材の先端部に係合する係合部材と
を備えたことを特徴とするパネル固定機構。
【請求項２】
前記キャップ部材は、このキャップ部材の軸線方向と直角方向に位置を調整可能に設けられたことを特徴とする請求項１に記載のパネル固定機構。
【請求項３】
前記オスネジ部と前記メスネジ部が多条ネジにより形成されたことを特徴とする請求項１又は２に記載のパネル固定機構。
【請求項４】
前記ネジ部材の先端部に前記係合部材に係合可能な係合部と小径部を形成したことを特徴とする請求項１から３のいずれかに記載のパネル固定機構。
【発明の詳細な説明】
【技術分野】
【０００１】
本発明は、例えば、クリーンルームやオフィスルーム等の床部に敷設されるフリーアクセスフロアを構成する複数のフリーアクセスフロア用パネル等の、パネルを固定部材に固定するために用いるパネル固定機構に関するものである。
【背景技術】
【０００２】
従来のパネル固定機構としては、例えば、下記の特許文献１に記載されたようなものがある。この従来のパネル固定機構は、特許文献１の図３に示されたパネル固定金具３を、特許文献１の図５（ａ）に示されているような、パネル１の穴１ａ内に挿入した仮取付状態から、ロックピン５の頭部５ａを下方に押し込んで、ロックボルト７の頭部７ｂ及び係合ピン７ａ，７ａが受部１２の長円孔１２ａ（特許文献１の図４（ａ）参照）をくぐり抜けて、ロックピン５を右回りに回転させることにより、係合ピン７ａ，７ａが、受部１２の長円孔１２ａの短径部の下側に入り込んで受部１２の下面に係合された取付状態（特許文献１の図５（ｂ）参照）となる。
【０００３】
このとき、圧縮コイルバネ６がその軸方向に圧縮されて発生した付勢力により、スリーブ４と係合ピン７ａ，７ａとを互いに接近させるような力が働くので、スリーブ４の頭部４ｂがパネル１を受部１２側に抑え込んで固定することができるようになっている。このように構成することにより、ネジ部材をそのネジの始めから終わりまで長い距離をネジ回転させることによりパネルを着脱する場合に比べて、ワンタッチ方式によりパネルを短時間で着脱できるようにして、一応、その着脱の作業性を向上させることができるようになっていた。
【特許文献１】特許第３４２２９３４号公報
【発明の開示】
【発明が解決しようとする課題】
【０００４】
しかしながら、上記のような従来のパネル固定機構にあっては、係合ピン７ａが欠けたりして無くなると、ロックボルト７が受部１２との係合から外れてしまい、スリーブ４の頭部４ｂがパネル１を受部１２側に抑え込む力が無くなってパネル１を固定することができなくなってしまうという問題があった。
【０００５】
また、圧縮コイルバネ６がその軸方向に圧縮されて発生した付勢力により、パネル１を受部１２側に抑え込んで固定するようになっていたので、パネル１に前記付勢力よりも大きな地震等の外力が働いたときは、パネル１は前記付勢力に打ち勝って受部１２から離れてその上方に浮き上がってしまい、パネル１を安定して強固に固定することができなくなってしまうという問題があった。
【０００６】
そこで本発明は、上記問題点に鑑みて、パネル着脱の作業性を向上させることができると共に、パネルを固定する上での信頼性を向上させることができるパネル固定機構を提供することを課題とするものである。
【課題を解決するための手段】
【０００７】
上記課題を解決するために本発明は、
パネルを固定部材に着脱可能に固定するパネル固定機構であって、
前記パネルを固定するための頭部とオスネジ部を有するネジ部材と、
前記ネジ部材よりも前記固定部材側に接合され、内部に空間を有し、前記ネジ部材側の端部の閉止板部に前記オスネジ部とネジ締結するメスネジ部が形成されたキャップ部材と、
前記空間内に収納され、前記キャップ部材の軸線方向に伸縮する弾性部材と、
前記弾性部材の前記ネジ部材側の端部に設けられ、前記ネジ部材の先端部に係合する係合部材とを備えたことを特徴とするものである。
【０００８】
また本発明の前記キャップ部材は、このキャップ部材の軸線方向と直角方向に位置を調整可能に設けられたことを特徴とするものである。
【０００９】
また本発明は、前記オスネジ部と前記メスネジ部が多条ネジにより形成されたことを特徴とするものである。
【００１０】
また本発明は、前記ネジ部材の先端部に前記係合部材に係合可能な係合部と小径部を形成したことを特徴とするものである。
【発明の効果】
【００１１】
このような本発明によれば、
パネルを固定部材に着脱可能に固定するパネル固定機構であって、
前記パネルを固定するための頭部とオスネジ部を有するネジ部材と、
前記ネジ部材よりも前記固定部材側に接合され、内部に空間を有し、前記ネジ部材側の端部の閉止板部に前記オスネジ部とネジ締結するメスネジ部が形成されたキャップ部材と、
前記空間内に収納され、前記キャップ部材の軸線方向に伸縮する弾性部材と、
前記弾性部材の前記ネジ部材側の端部に設けられ、前記ネジ部材の先端部に係合する係合部材とを備えたことにより、
パネル着脱の作業性を向上させることができると共に、パネルを固定する上での信頼性を向上させることができる。
【００１２】
また、本発明のパネル固定機構において、前記キャップ部材が、このキャップ部材の軸線方向と直角方向に位置を調整可能に設けられたことにより、パネルにおける取り付け位置が多少ずれていても確実にパネルを固定することができ、パネル着脱の作業性を向上させることができる。
【００１３】
また、本発明のパネル固定機構において、前記オスネジ部と前記メスネジ部が多条ネジにより形成されたことにより、ネジ部材の１回転当たりの進む距離を大きくできるので、パネル着脱の作業性を向上させることができる。
【００１４】
また、本発明のパネル固定機構において、前記ネジ部材の先端部に前記係合部材に係合可能な係合部と小径部を形成したことにより、ネジ部材の着脱の際の移動方向を係合部がガイドして、パネル着脱の作業性を向上させることができる。
【発明を実施するための最良の形態】
【００１５】
以下、本発明に係るパネル固定機構を実施するための最良の形態について、図面に基づいて具体的に説明する。
図１から図８は、本発明の一実施の形態に係るパネル固定機構５０について説明するために参照する図である。
【００１６】
図１に示すように、本実施の形態に係るパネル固定機構５０は、フリーアクセスフロア用のパネル４０を固定部材４５に固定するために用いられるもので、ネジ部材２２と、底板２４上に立設させネジ部材２２と接合させるキャップ部材２６と、このキャップ部材２６内の空間に収納される圧縮コイルバネ２８（弾性部材）と、この圧縮コイルバネ２８の上端部に設けられる絞り座金３０（係合部材）とを備えて構成されている。これらの部材にはすべて金属製のものが用いられている。
【００１７】
固定部材４５としては、前記特許文献１における図１１に示された角パイプ２と同様のものが用いられている。
なお、固定部材としては、角パイプを用いた上記固定部材４５の他に、前記特許文献１における図１１に示された支持脚５２のようなものを用いて、そのような支持脚の上端部の上にパネル固定機構５０を設けてパネル４０を固定するようにしてもよい。
【００１８】
図２に示すように、底板２４は略正方形に形成されており、この四隅にそれぞれ１つずつ各キャップ部材２６が配置されている。後述するように、図４（ｂ）に示したキャップ部材２６のメスネジ部２６ｃには、図７（ｂ）に示したネジ部材２２のオスネジ部である２条ネジ２２ｃがネジ締結するようになっている。
【００１９】
ところで、図２における縦横の２点鎖線は、互いに隣り合う４枚のフリーアクセスフロア用のパネル４０の各隅部の境界を示しているので、各キャップ部材２６は各パネル４０の隅部に配置されることになることがこの図から分かる。
【００２０】
図３，４に示すように、キャップ部材２６の下端部には、その半径外方に拡がるようなフランジ部２６ａが形成されている。図３に示すように、フランジ部２６ａは底板２４と表面板３２との間に形成された空間内に配置されて、固定されてはいない。
【００２１】
図３に示すように、底板２４と表面板３２との間には中間板３４が挟まれて、図示してないネジ部材により底板２４と表面板３２に一体的に固定されている。中間板３４は、キャップ部材２６のフランジ部２６ａの肉厚よりも少し厚い肉厚を有しているので、キャップ部材２６のフランジ部２６ａは水平方向に移動不能に拘束されてはいない。
【００２２】
図５（ａ）に示すように、表面板３２には、四隅の内側の４箇所の位置に、４つのキャップ部材２６のそれぞれの筒部が挿入する、キャップ部材２６の筒部より径が大きな長孔３２ａが形成されているので、その筒部は長孔３２ａ内でキャップ部材２６の軸線方向と直角方向に移動可能となっている。また、表面板３２の周部４辺のそれぞれの中央部近傍には、上記３枚の板２４，３２，３４を一体的に固定する、ネジ部材２２とは別の、図示してない皿状の頭部を有する第２ネジ部材のその皿状の頭部が嵌着すると共に、そのネジ部が挿通する皿状凹部付孔３２ｂが形成されている。
【００２３】
また、表面板３２の中央部には、底板２４の下側の、図示してない梁状の角パイプ（固定部材）に上記３枚の板２４，３２，３４を固定するための、上記第２ネジ部材より少し大き目の、図示してない皿状の頭部を有する第３ネジ部材のその皿状の頭部が嵌着すると共に、そのネジ部が挿通する、上記皿状凹部付孔３２ｂより少し大き目の皿状凹部付孔３２ｃが形成されている。
【００２４】
図５（ｂ）に示すように、中間板３４には、四隅の内側の４箇所の位置に、４つのキャップ部材２６のフランジ部２６ａが収納される、フランジ部２６ａより大きい面積の異形孔３４ａが形成されている。また、中間板３４の周部４辺のそれぞれの中央部近傍には、上記３枚の板２４，３２，３４を一体的に固定する、上記第２ネジ部材のネジ部が挿通する挿通孔３４ｂが形成されている。
【００２５】
また、中間板３４の中央部には、底板２４の下側の角パイプに上記３枚の板２４，３２，３４を固定するための、上記第３ネジ部材のネジ部が挿通する挿通孔３４ｃが形成されている。
【００２６】
図５（ｃ）に示すように、底板２４の周部４辺のそれぞれの中央部近傍には、上記３枚の板２４，３２，３４を一体的に固定する、上記第２ネジ部材のネジ先端部がネジ締結するネジ孔２４ｂが形成されている。また、底板２４の中央部には、底板２４の下側の角パイプに上記３枚の板２４，３２，３４を固定するための、上記第３ネジ部材のネジ部が挿通する挿通孔２４ｃが形成されている。この第３ネジ部材のネジ先端部は、底板２４の下側の角パイプに形成されたネジ穴にネジ締結するようになっている。
【００２７】
図４（ｂ）に示すように、キャップ部材２６には、その下端部にフランジ部２６ａが形成されている他に、その上端部に例えば絞り加工等によって形成された閉止板部２６ｂの中央部に、周部にメスネジ部２６ｃを有するネジ孔が形成されている。このようなキャップ部材２６の内部の空間には、図３に示すように、圧縮コイルバネ２８と、この圧縮コイルバネ２８の上端部に嵌合して設けられた絞り座金３０（係合部材）が収納されるようになっている。
【００２８】
図６に示すように、絞り座金３０は、圧縮コイルバネ２８の上端部の外側に嵌合する外筒部３０ａと、この外筒部３０ａより上面部３０ｄを介して半径内方に形成された内筒部３０ｂとを有し、この内筒部３０ｂの内側には係合孔３０ｃが形成されている。
【００２９】
キャップ部材２６とネジ結合するネジ部材２２は、図７に示すように、平面が円形で高さを有する頭部２２ａが形成されており、この頭部２２ａの上面には、マイナスドライバー等の工具が係合するための溝部２２ｂが形成されている。ネジ部材２２の軸部の長さ途中には、２条ネジ２２ｃ（オスネジ部）が形成されている。そして、上記軸部の先端部には小径部２２ｄと段部２２ｅ（係合部）が形成されている。
【００３０】
図８に示すように、ネジ部材２２をキャップ部材２６の上方から下降させて、その先端部をキャップ部材２６のメスネジ部２６ｃを有するネジ孔から内部の空間に挿し込んで、その先端部の小径部２２ｄが圧縮コイルバネ２８の上端部に設けられた絞り座金３０の係合孔３０ｃに嵌合すると共に、小径部２２ｄの上端部に隣接して形成された段部２２ｅが絞り座金３０の上面部３０ｄに当接して係合するようになっている（図１中右半部参照）。
【００３１】
それからさらに、ネジ部材２２の頭部２２ａを下方に押し込んで、その溝部２２ｂに係合させたドライバー等の工具により回転させて、その２条ネジ２２ｃをキャップ部材２６のメスネジ部２６ｃにネジ締結させることにより、パネル４０を表面板３２上に固定することができる（図１中左半部参照）。
【００３２】
パネル４０を表面板３２の上から取り外したいときは、ネジ部材２２を、パネル４０を固定するときと反対方向に回転させることにより、その２条ネジ２２ｃをキャップ部材２６のメスネジ部２６ｃとのネジ締結から離脱させる。するとネジ部材２２は、圧縮コイルバネ２８に圧縮により蓄えられていた付勢力により上方に瞬時に押し上げられて、その頭部２２ａをパネル４０の上面より上方に突出させる。
【００３３】
そしてネジ部材２２を指で摘まみ上げて、その小径部２２ｄを絞り座金３０の係合孔３０ｃから引き抜くと共に、その先端部をキャップ部材２６のネジ孔を通って上方に引き抜くことにより、パネル４０を容易に取り外すことができる。
【００３４】
一方、キャップ部材２６のフランジ部２６ａは、中間板３４に形成された、フランジ部２６ａより大きい面積の異形孔３４ａ内に収納されると共に、中間板３４の肉厚はフランジ部２６ａの肉厚より厚いことと、キャップ部材２６の筒部がそれより大きな表面板３２の長孔３２ａに緩く嵌合していることにより、キャップ部材２６は底板２４の上でその軸線方向と直角方向に移動でき、その位置を調整可能に設けられている。
【００３５】
このため、パネル４０に形成される、ネジ部材２２が挿通するパネル固定用孔４０ａ（図１参照）の中心位置が、キャップ部材２６の中心位置と多少ずれているとしても、キャップ部材２６がその位置を調整するよう水平方向に移動できることにより互いの中心位置を一致させて、確実にパネル４０をパネル固定機構５０の表面板３２上に固定することができるようになっている。
【００３６】
また、本実施の形態に係るパネル固定機構５０は、ネジ部材２２の２条ネジ２２ｃとキャップ部材２６のネジ孔のメスネジ部２６ｃが２条ネジにより形成されていることにより、ネジ部材２２の１回転当たりの進む距離（リード）を大きくすることができるようになっている。
【００３７】
また、本実施の形態に係るパネル固定機構５０は、ネジ部材２２の下端部に、圧縮コイルバネ２８の上端部の絞り座金３０に係合可能な段部２２ｅ（係合部）と、絞り座金３０の係合孔３０ｃに嵌合する小径部２２ｄを形成したことにより、ネジ部材２２が上下動する際に圧縮コイルバネ２８が曲がらない（座屈しない）ようにして、ネジ部材２２の着脱時の高さ方向の移動がまっすぐになるようガイドすることができるようになっている。
【００３８】
ここで、本実施の形態に係るパネル固定機構５０は、前記従来のパネル固定機構のように、係合ピン７ａ，７ａを受部１２の長円孔１２ａの短径部の下側に係止してパネルを固定するのとは異なり、ネジ部材２２の２条ネジ２２ｃをキャップ部材２６のメスネジ部２６ｃにネジ締結させることにより、パネル４０を表面板３２上に固定するようになっているので、前記従来のような係合ピン７ａ，７ａが欠けたりしてパネルを固定することができなくなるようなことはなく、２条ネジ２２ｃとメスネジ部２６ｃとのネジ締結により安定して強固にパネル４０を固定することができるようになっている。
【００３９】
また本実施の形態に係るパネル固定機構５０は、前記従来のパネル固定機構のように圧縮コイルバネ６が圧縮されて発生した付勢力によりパネルを抑え込んで固定するようになっていたのとは異なり、ネジ部材２２の２条ネジ２２ｃをキャップ部材２６のメスネジ部２６ｃにネジ締結させることによりパネル４０を固定するようになっている。
【００４０】
このため、地震等によりパネル４０に圧縮コイルバネ２８の付勢力より大きな外力が働いたとしても、その外力により従来のようにパネル４０が浮き上がることはない。本実施の形態に係るパネル固定機構５０の圧縮コイルバネ２８は、ネジ部材２２をキャップ部材２６から取り外すときに、その付勢力によりネジ部材２２を上方に瞬時に押し上げるために用いられている。
【００４１】
このように、本実施の形態に係るパネル固定機構５０によれば、ネジ部材２２を所定の長さだけ下方に押し込んでから、わずかの長さ分だけネジ締結すればよいので、略ワンタッチ方式でネジ部材２２を着脱できるため、パネル着脱の作業性を向上させることができる。
また、何らかの原因でパネル４０の固定力が失われたり、低減することを防止することができるので、パネルを固定する上での信頼性を向上させることができる。
【００４２】
また、本実施の形態に係るパネル固定機構５０によれば、キャップ部材２６が、その軸線方向と直角方向に位置を調整可能に設けられたことにより、パネル４０における取り付け位置が多少ずれていても確実にパネル４０を底板２４上に固定することができるので、パネル４０着脱の作業性を向上させることができる。
【００４３】
また、本実施の形態に係るパネル固定機構５０によれば、ネジ部材２２の２条ネジ２２ｃとキャップ部材２６のネジ孔のメスネジ部２６ｃが多条ネジにより形成されたことにより、ネジ部材２２の１回転当たりの進む距離を大きくすることができるので、パネルの着脱の作業性を向上することができる。
【００４４】
また、本実施の形態に係るパネル固定機構５０によれば、ネジ部材２２の下端部に絞り座金３０に係合可能な段部２２ｅと小径部２２ｄを形成したことにより、ネジ部材２２の着脱の際の移動方向をまっすぐにガイドすることができるので、パネル着脱の作業性を向上させることができる。
【００４５】
なお、前記実施の形態では、ネジ部材２２の頭部２２ａの上面にマイナスドライバーが係合するための溝部２２ｂを形成したが、その他のネジ回転用工具を用いるために、頭部２２ａの上面に形成される形状を変更してもよい。
【００４６】
また、前記実施の形態では、本発明をフリ−アクセスフロア用のパネルに適用した場合について説明したが、パネルはフリ−アクセスフロア用のパネルに限定する必要はなく、他の用途に用いられるパネルに適用することもできる。
【００４７】
また、前記実施の形態においては、パネル固定機構５０の底板２４等の各板が水平方向に配置される場合について説明したが、それらの各板が鉛直方向に配置されるように、パネル固定機構５０を壁等のような鉛直面に取付けて、パネル４０をその鉛直面に固定することも可能である。或は、パネル固定機構５０を介してパネル４０を天井のような場所に取付けることも可能である。
【００４８】
また、前記実施の形態では、弾性部材として圧縮コイルバネ２８を用いたが、これに限定する必要は無く、その代わりに、プラスチック製の合成ゴムや、板バネ等の、他の種類の弾性部材を用いることもできる。
【００４９】
また、前記実施の形態では、ネジ部材２２のオスネジ部とキャップ部材２６のメスネジ部２６ｃに２条ネジを用いた場合について説明したが、ネジ部材２２のオスネジ部とキャップ部材２６のメスネジ部２６ｃは２条ネジに限定する必要はなく、１条ネジ、又は３条以上の多条ネジを用いてもよい。
【００５０】
また、前記実施の形態では、その構成部品がそれぞれ金属製のものを用いたが、充分な強度を有するものであれば、パネル固定機構を構成する部品は金属以外の材料によっても形成することができる。
【００５１】
また、前記実施の形態では、前記各板２４，３２，３４はそれらの４箇所をネジ部材により締結することによりそれらが互いに一体となるように固定したが、それらの固定箇所は４箇所に限定されるものではなく、３箇所以下でも、或は５箇所以上でもよい。
【００５２】
また、上記ネジ部材以外の固定手段を用いてもよく、例えばリベット等の他の固定手段により各板２４，３２，３４のそれぞれの４箇所同士を締結することによりそれら各板が一体となるように固定してもよい。
【００５３】
また、前記実施の形態では、前記各板２４，３２，３４はそれらの中心部１箇所をネジ部材により、底板２４の下側の角パイプの固定部材４５に固定したが、この場合も１箇所に限定されるものではなく、２箇所以上で固定してもよい。
【００５４】
また、前記実施の形態では、底板２４と中間板３４を別部材とした場合について説明したが、底板２４と中間板３４を一体形成するようにしてもよい。例えば、中間板３４の異形孔３４ａを絞り加工により凹部形状に形成することにより、底板２４を省略することができる。このとき、キャップ部材２６のフランジ部２６ａが拘束されない程度の空間が形成されることが条件となるので、上記凹部形状は必ずしも異形孔３４ａのような異形とする必要はない。
【００５５】
または、表面板３２と中間板３４を一体形成するようにしてもよい。例えば、表面板３２の外周部に凸部あるいは折り曲げ部等を設けることにより、キャップ部材２６のフランジ部２６ａが拘束されない程度の空間が形成されるようにすることができ、この結果として中間板３４を省略することができる。
【図面の簡単な説明】
【００５６】
【図１】本発明の一実施の形態に係るパネル固定機構５０の側面断面図であり、図中右半部はパネル４０を固定する前の状態を示し、図中左半部はパネル４０を固定したときの状態を示す図である。
【図２】図１に示すパネル固定機構５０のネジ部材２２を省略した状態を示す図であり、図２（ａ）はその上面図、図２（ｂ）はその側面図である。
【図３】図２（ａ）に示すパネル固定機構５０のネジ部材２２を省略した状態のＡ−Ａ線矢視断面図である。
【図４】キャップ部材２６を示す図であり、図４（ａ）はその上面図、図４（ｂ）はその側面断面図、図４（ｃ）はその下面図である。
【図５】角パイプの固定部材４５の上に一体的に取り付けられるパネル固定機構５０の各板を上から順に示す図であり、図５（ａ）は表面板３２の上面図、図５（ｂ）は中間板３４の上面図、図５（ｃ）は底板２４の上面図である。
【図６】絞り座金３０を示す図であり、図６（ａ）はその上面図、図６（ｂ）はその側面断面図、図６（ｃ）はその下面図である。
【図７】ネジ部材２２を示す図であり、図７（ａ）はその上面図、図７（ｂ）はその側面図である。
【図８】ネジ部材２２、キャップ部材２６、絞り座金３０、及び圧縮コイルバネ２８の組立て手順を説明するための側面分解断面図である。
【符号の説明】
【００５７】
２２  ネジ部材
２２ａ  頭部
２２ｂ  溝部
２２ｃ  ２条ネジ
２２ｄ  小径部
２２ｅ  段部
２４  底板
２４ｂ  ネジ孔
２４ｃ  挿通孔
２６  キャップ部材
２６ａ  フランジ部
２６ｂ  閉止板部
２６ｃ  メスネジ部
２８  圧縮コイルバネ
３０  絞り座金
３０ａ  外筒部
３０ｂ  内筒部
３０ｃ  係合孔
３２  表面板
３２ａ  長孔
３２ｂ  皿状凹部孔
３２ｃ  皿状凹部孔
３４  中間板
３４ａ  異形孔
３４ｂ  挿通孔
３４ｃ  挿通孔
４０  パネル
４５  固定部材
５０  パネル固定機構
【図１】
0004712578.tif 000002
【図２】
0004712578.tif 000003
【図３】
0004712578.tif 000004
【図４】
0004712578.tif 000005
【図５】
0004712578.tif 000006
【図６】
0004712578.tif 000007
【図７】
0004712578.tif 000008
【図８】
0004712578.tif 000009